(57)【特許請求の範囲】
【請求項１】
空気吸込口（２０ａ）の近傍に吊り部材（７１）を介して吊られ、前記吊り部材（７１）の動作によって、昇降および／または前記空気吸込口（２０ａ）の開閉を行う空調室内機の可動パネルであって、
樹脂製のパネル本体（２４１）と、
前記パネル本体に固定される金属製の補強部材（２４６）と、
を備え、
前記パネル本体（２４１）の上側面には、前記補強部材（２４６）とネジ止めされ且つ前記パネル本体（２４１）からの高さ寸法が異なる複数のネジ受け突起（２４３）が上方に突出しており、
前記吊り部材（７１）は、前記パネル本体（２４１）の吊り部（２４２）に接続されており、
前記吊り部（２４２）に近い前記ネジ受け突起（２４３ｂ、２４３ｃ）の前記高さ寸法は、前記吊り部（２４２）から遠い前記ネジ受け突起（２４３ａ）の前記高さ寸法より大きい、
空調室内機の可動パネル（２４）。
【請求項２】
前記吊り部（２４２）は、前記パネル本体（２４１）の両端部に設けられており、
前記吊り部材（７１）に吊られる前の前記パネル本体（２４１）の下面は、前記吊り部材（７１）に吊られたときに発生する反りと反対方向に撓んでいる、
請求項１に記載の空調室内機の可動パネル（２４）。
【発明の詳細な説明】
【技術分野】
【０００１】
本発明は、ワイヤなどによって昇降および／又は空気吸込口の開閉を行なう空調室内機の可動パネルに関する。
【背景技術】
【０００２】
従来、天井設置型の空調室内機では、化粧パネルの開口を昇降可能な可動パネルで塞ぐ空調室内機が広く知られている（例えば、特許文献１参照）。特許文献１で開示されている空調室内機では、可動パネルはワイヤで吊られており、昇降装置がそのワイヤを繰り出すことによって可動パネルが降下し、ワイヤを巻き取ることによって可動パネルが上昇する。
【０００３】
しかしながら、上記のような空調室内機では、可動パネルがワイヤで吊られたとき、可動パネルの下面中央部が自重によって下方へ反るので、美観を損ねる可能性が高い。
【特許文献１】特開平１０−１９６９９９号公報
【発明の開示】
【発明が解決しようとする課題】
【０００４】
本発明の課題は、ワイヤなどで吊られたときに下面中央部が下方へ反ることを抑制した空調室内機の可動パネルを提供することにある。
【課題を解決するための手段】
【０００５】
第１発明に係る空調室内機の可動パネルは、空気吸込口の近傍に吊り部材を介して吊られ、吊り部材の動作によって、昇降および／または空気吸込口の開閉を行う空調室内機の可動パネルであって、樹脂製のパネル本体と、パネル本体に固定される金属製の補強部材とを備えている。パネル本体の上側面には、補強部材とネジ止めされ且つパネル本体からの高さ寸法が異なる複数のネジ受け突起が上方に突出している。吊り部材は、パネル本体の吊り部に接続されている。吊り部に近いネジ受け突起の高さ寸法は、吊り部から遠いネジ受け突起の高さ寸法より大きい。
【０００６】
この可動パネルでは、各ネジ受け突起の高さが異なることによって、ネジ受け突起が補強部材とネジ止めされたときに、パネル本体が補強部材側へ撓む。つまり、反りが発生する部分を、その反りと反対方向に予め撓ませることによって、反りが撓みをオフセット（相殺）するので、反りによる意匠性の低下が防止される。
【０００７】
また、この可動パネルでは、ネジ受け突起が補強部材とネジ止めされることによって、パネル本体の吊り部から遠い部分は上方に撓む。パネル本体が吊り部材によって吊られたとき、パネル本体の吊り部から遠い部分が下方へ反るので、撓みは反りによってほぼ解消される。その結果、パネル本体の反りが目立たなくなり、意匠性の低下が防止される。
【０００８】
第２発明に係る空調室内機の可動パネルは、第１発明に係る空調室内機の可動パネルであって、吊り部が、パネル本体の両端部に設けられている。吊り部材に吊られる前のパネル本体の下面は、吊り部材に吊られたときに発生する反りと反対方向に撓んでいる。
【０００９】
この可動パネルでは、ネジ受け突起が補強部材とネジ止めされることによって形成されるパネル本体の下面の撓みは、パネル本体が吊り部材に吊られたときに発生する反りによって、ほぼ解消される。その結果、パネル本体の反りが目立たなくなり、意匠性の低下が防止される。
【発明の効果】
【００１０】
第１発明又は第２発明に係る空調室内機の可動パネルでは、反りが発生する部分を、その反りと反対方向に予め撓ませることによって、反りが撓みをオフセット（相殺）するので、反りによる意匠性の低下が防止される。
【発明を実施するための最良の形態】
【００１１】
以下図面を参照しながら、本発明の実施形態について説明する。なお、以下の実施形態は、本発明の具体例であって、本発明の技術的範囲を限定するものではない。
【００１２】
＜空調室内機２の構成＞
図１は本発明の一実施形態に係る可動パネルを使用した空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００１３】
図２（ａ）は、空調室内機の運転停止時の側面図であり、（ｂ）は、その空調室内機の運転時の側面図であり、（ｃ）は、その空調室内機のメンテナンス時の側面図である。図２（ａ）において、空調室内機２が停止しているとき、可動パネル２４は化粧パネル２１と見かけ上一体化している。図２（ｂ）において、空調室内機２の運転時、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００１４】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。
【００１５】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれ、吹出口２０ｂから吹出される。
【００１６】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００１７】
上部熱交換器１２ａの上端は本体２０の内側上部に位置し、上端から下端に向って傾斜する角度は、水平線に対して４５°以上６０°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００１８】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。なお、これ以後、吸込口２０ａから室内ファン１３までの空気流路を吸込流路３１ａと呼ぶ。
【００１９】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。
【００２０】
また、第１風向調節羽根５２の上流には、第２風向調節羽根５３が位置し、モータによって吹出口２０ｂの長手方向と直行する軸を中心に遥動するので、吹出口２０ｂから吹出される空気の方向は適切に調整される。
【００２１】
なお、これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられており、この舌部１５が吹出空気の漏れを防止して、性能を向上させている。なお、舌部１５は、室内ファン１３及びドレンパン１４とは独立した部材である。
【００２２】
（本体２０）
空調室内機２は、可動パネル２４の上方に、フィルタ清掃機構１０を備えているので、フィルタ清掃機構１０を備えていない標準空調室内機と比較して本体２０の高さ寸法が大きくなる。空調室内機２では、標準空調室内機の本体が利用されるように、標準空調室内機の本体に拡張枠２７が連結されており、拡張枠２７内に、フィルタ清掃機構１０のフィルタ収納枠１０４が配置されている。
【００２３】
＜フィルタの掃除機構１０＞
図４は、フィルタ清掃機構のフィルタ収納枠の分解斜視図である。図４において、フィルタ収納枠１０４には、縁にラック１０１が形成されているフィルタ９、ピニオン歯車１０２ａを有するローラー１０２、及びフィルタ９の浮き上がりを防止するフィルタ安定板１０３が取り付けられる。
【００２４】
（フィルタ９）
フィルタ９は、網部９ａと網部９ａの周囲を保持する縁部９ｂを有しており、図３に示すように室内熱交換器１２の前面側に配置され、室内から取り込まれた空気から塵埃を除去する。これにより、フィルタ９は、空気中に浮遊する塵埃が室内熱交換器１２の表面を汚染することを防止している。フィルタ９の縁部９ｂには、ピニオン歯車１０２ａと噛み合うラック１０１が形成されている。
【００２５】
（ローラー１０２）
ローラー１０２は、複数のピニオン歯車１０２ａと、複数のピニオン歯車１０２ａを同軸上に連結する連結軸１０２ｂとを有している。ピニオン歯車１０２ａは、フィルタ９のラック１０１と噛み合い、回転することによってフィルタ９を水平に移動させる。
【００２６】
（フィルタ収納内枠１０４）
フィルタ収納枠１０４は、上枠１０４ａと下枠１０４ｂとを有しており、上枠１０４ａと下枠１０４ｂとが一定の間隔を隔てて上下に重なることによって、フィルタ収納部が形成される。また、上枠１０４ａには、モータ収納部１０４ｃが形成されており、ピニオン歯車１０２ａと噛み合う伝達歯車１０４ｄ、伝達歯車１０４ｄを駆動する駆動歯車１０４ｅ、及び駆動歯車１０４ｅを回転させるフィルタ駆動モータ１０４ｆが収納される。
【００２７】
図５は、フィルタ収納枠の内部の断面図である。なお、図５では、フィルタ駆動モータ１０４ｆ及びブラシ駆動モータ１０８ｆのフィルタ収納枠１０４に対する位置が明確になるように、フィルタ駆動モータ１０４ｆ及びブラシ駆動モータ１０８ｆを２点鎖線で表示している。フィルタ駆動モータ１０４ｆ及びブラシ駆動モータ１０８ｆは、フィルタ収納枠１０４の長手方向の両側、すなわち吸込口２０ａの長手方向の両側の上方に位置している。
【００２８】
図５において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００２９】
（位置検知スイッチ１０７）
図３において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００３０】
（ブラシ１０８）
図５に示すように、ブラシ１０８の毛１０８ａは、フィルタ９を挟んでローラー１０２と反対側に位置しフィルタ９に接触している。つまり、フィルタ９の上側にローラー１０２があり、フィルタ９の下方にブラシ１０８がある。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００３１】
また、ブラシ１０８は、直線状の前方収納経路１０５ａと湾曲した後方収納経路１０６ａとの間に位置するので、フィルタ９が前方収納経路１０５ａと後方収納経路１０６ａとの間を移動するときに、ブラシ１０８は、フィルタ９の網部９ａ全域に接触することができる。
【００３２】
なお、最終伝達歯車１０８ｃと中間伝達歯車１０８ｄとの噛み合いは、可動パネル２４の開時および下降時には外れ、最終伝達歯車１０８ｃは、可動パネル２４及びブラシ１０８と共に移動する。そして、可動パネル２４が吸込口２０ａを閉じたとき、最終伝達歯車１０８ｃと中間伝達歯車１０８ｄとは再び噛み合う。
【００３３】
（ダストボックス１０９）
図３において、ダストボックス１０９は、上部の吹出口２０ｂ寄りに、塵埃取り込み口を有しており、塵埃取り込み口には、ブラシ１０８及びブラシ１０８から塵埃をふるい落とす櫛部１０９ｃが取り付けられている。
【００３４】
図２（ｂ）に示すように、可動パネル２４が回動して吸込口２０ａを開けたとき、ダストボックス１０９は、ブラシ１０８と共にフィルタ９から離れるので、吸込空気の進路を妨害しない。また、ダストボックス１０９へ向って来る空気を滑らかにフィルタ９へ向わせるために、ダストボックス１０９の吸込空気と対向する面１０９ｄは傾斜しており、空気抵抗を低減している。
【００３５】
（フィルタの清掃動作）
空調室内機２では、制御部により定期的に、或いは使用者が必要とするときにリモコンによってフィルタ９が自動的に清掃される。以下、その仕組みについて説明する。
【００３６】
図３，図５において、フィルタ９のラック１０１は、前方収納経路１０５ａに収まっており、ラック１０１の一端（以後、第１端部とよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部は後方収納経路１０６ａの終端に到達する。
【００３７】
ラック１０１の第１端部が後方収納経路１０６ａの終端に到達したとき、第１端部が位置検知スイッチ１０７（図３参照）のレバーを回動させオン動作させる。制御部は、位置検知スイッチ１０７から出力されるオン信号からラック１０１の第１端部が後方収納経路１０６ａの終端に到達したと判断し、ローラー１０２の回転を停止させる。このとき、フィルタ９のラック１０１の全域が、後方収納経路１０６ａに収まっており、ラック１０１の他端（以後、第２端部とよぶ）はピニオン歯車１０２ａと噛み合っている。
【００３８】
図５において、フィルタ９が移動する際に、フィルタ９の表面に付着していた塵埃はブラシ１０８によって掻き取られる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００３９】
フィルタ９が前方収納経路１０５ａから後方収納経路１０６ａへ移動し塵埃の除去が終了したとき、制御部は、ローラー１０２を逆回転させる。フィルタ９のラック１０１の第２端部は、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部は前方収納経路１０５ａの終端に到達する。
【００４０】
ラック１０１の第２端部が前方収納経路１０５ａの終端に到達しととき、第２端部が位置検知スイッチ１０７のレバーを回動させオン動作させる。制御部は、位置検知スイッチ１０７から出力されるオン信号からラック１０１の第２端部が前方収納経路１０５ａの終端に到達したと判断し、ローラー１０２の回転を停止させる。このとき、フィルタ９のラック１０１は、前方収納経路１０５ａに収まっており、ラック１０１の第１端部はピニオン歯車１０２ａと噛み合っている。
【００４１】
（可動パネル２４）
図６は、ワイヤに吊られた可動パネルの斜視図である。図６において、可動パネル２４は、樹脂製のパネル本体２４１と樹脂製のパネルカバー２４７とを有している。パネルカバー２４７は、パネル本体２４１の上面を覆う部材であるが、パネル本体２４１の上面にはダストボックス１０９が配置され、その上面の両端近傍にはワイヤ７１が接続される吊り部２４２が配置されているので、パネルカバー２４７は、ダストボックス１０９及び吊り部２４２を避けるようにしてパネル本体２４１の上面を覆っている。
【００４２】
図７は、図６のＡ−Ａ線における可動パネルの断面図である。図７において、パネル本体２４１の縁には、上方に向って突出する爪２４１ａが形成されており、パネルカバー２４７の縁には、爪２４１ａを受ける爪受け２４７ａが形成されており、パネル本体２４１とパネルカバー２４７とが重ねあわされたときに、爪２４１ａが爪受け２４７ａに嵌まり込み位置決めされる。爪２４１ａの先端部分は、パネル本体２４１の内側に向って凸状に形成されており、爪受け２４７ａは、爪２４１ａの凸部分を受けるように凹状に形成されているので、爪２４１ａの凸部分と爪受け２４７ａの凹部分とがかみ合って、容易に離れないようになっている。
【００４３】
また、パネル本体２４１の上面側には、上方に突出する複数のネジ受け突起２４３が設けられている。ネジ受け突起２４３は、金属製の補強部材２４６とネジ止めされている。補強部材２４６は、断面がＵ字状であり、凹部分がネジ受け突起２４３にかぶさるように配置されてからネジ止めされる。パネルカバー２４７は、補強部材２４６を隠すようにパネル本体２４１の上面を覆うので、パネル本体２４１とパネルカバー２４７との間には中空空間が形成されている。その結果、可動パネル２４の厚みが増し、可動パネル２４の立体感が強調される。なお、説明の便宜上、可動パネル２４の厚みが細くなっている側を前方とし、その反対側を後方とする。
【００４４】
図８は、パネル本体の平面図である。なお、上記図７で可動パネル２４の厚みが細くなっている側を前方としているので、図８では、平面視上側がパネル本体２４１の前方である。図７、図８において、ネジ受け突起２４３は、パネル本体２４１の前方側と後方側の両方に設けられており、図８に示すように、パネル本体２４１の前方側には５個のネジ受け突起２４３が並び、パネル本体２４１の後方側には７個のネジ受け突起２４３が並んでいる。そして、ネジ受け突起２４３同士をつなぐようにリブ２４４が設けられている。
【００４５】
図９（ａ）は、補強部材がネジ止めされる前の図７のＢ−Ｂ線における可動パネルの断面図であり、図９（ｂ）は、補強部材がネジ止めされた後の図７のＢ−Ｂ線における可動パネルの断面図である。図９（ａ）に示すように、ネジ受け突起２４３のうち、中央のネジ受け突起２４３ａの高さは、両隣のネジ受け突起２４３ｂ，２４３ｃよりも低く設定されている。その結果、ネジ受け突起２４３ａ，２４３ｂ，２４３ｃと補強部材２４６とがネジ２４９でネジ止めされたとき、金属製の補強部材２４６は樹脂製のパネル本体２４１よりも剛性が強いので、図９（ｂ）に示すように、パネル本体２４１の中央部が上に凸となるように撓む。なお、この撓みは、パネル本体２４１がワイヤ７１で吊られたときに、吊り部２４２から遠い中央部が自重によって下方へ反ることによってオフセット（相殺）されるので、反りの目立たないパネル本体２４１が実現される。なお、本実施形態では、ネジ受け突起２４３の高さ寸法は、パネル本体２４１の最下面から測定したときの高さ寸法である。
【００４６】
図１０は、パネルカバーの背面図である。なお、上記図７で可動パネル２４の厚みが細くなっている側を前方としているので、図１０では、平面視上側がパネルカバー２４７の前方である。
【００４７】
図１０において、パネルカバー２４７には、大四角孔２４７ｂ、小四角孔２４７ｃ及びリブ２４７ｄが設けられている。大四角孔２４７ｂ及び小四角孔２４７ｃは、パネルカバー２４７がパネル本体２４１の上面を覆うときに、パネル本体２４１の上面に配置されているダストボックス１０９及び吊り部２４２との干渉を避けるために設けられている。リブ２４７ｄは、パネルカバー２４７を補強するために、格子状に設けられている。
【００４８】
パネルカバー２４７がパネル本体２４１の上面を覆うことによって、ネジ受け突起２４３、リブ２４４及び補強部材２４６は外部に露出しないので、吸込口２０ａに吸い込まれる空気の抵抗になることはなく、空気流の乱れが起こり難くなる。
【００４９】
＜可動パネル２４の動作に関連する装置＞
（昇降装置７）
図１１は、昇降装置内部の部品の配置図である。図１１において、昇降装置７はワイヤ７１を繰り出す、又は巻き取る装置である。昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００５０】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。ワイヤ７１の繰り出し量および巻き取り量は、昇降モータ７６の回転量に比例しており、制御部が、昇降モータ７６へ供給するパルス数を制御することによって、ワイヤ７１の繰り出し量および巻き取り量が制御される。
【００５１】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部に入力される。
【００５２】
しかし、何らかの要因でワイヤ７１が弛み張力がなくなった場合、例えば、メンテナンスのためにワイヤ７１を繰り出して可動パネル２４を降下させているときに、所定の繰り出し量に達する前に、可動パネル２４がテーブルなどの上に着地して停止した場合には、ワイヤ７１と滑車部７２ａとの摩擦力が減退し滑車７２が停止する。このため、スイッチ７７からは、オン信号又はオフ信号のいずれか一方が連続的に出力される。このとき、制御部では、昇降モータ７６が回転しているときにスイッチ７７からの信号が一定になっていることから、可動パネル２４が何らかの障害物によって停止したと推定し、直ちに昇降モータ７６を停止させる。
【００５３】
（ヒンジ５３０）
図１２は可動パネルの斜視図であり、図１３は図１２のＣ部の拡大図である。図１２において、可動パネル２４は、ヒンジ５３０によって本体２０（図３参照）に回動可能に支持される。図１３に示すように、ヒンジ５３０は、水平方向に延びる水平棒部５３１と、水平棒部５３１から垂直に延びるレバー５３２と、レバー５３２の端部から鉤状に曲がるフック５３３を有し、水平棒部５３１を上にした状態で静止している。
【００５４】
図１４は、ヒンジ単品の側面図である。図１４において、ヒンジ５３０は、可動パネル２４の回動中心となる回動軸部５３４をさらに有している。ヒンジ５３０は、可動パネル２４内のバネによってＤ方向へ倒れるようにバネ力が作用している。
【００５５】
（可動パネルの開閉動作）
図１５（ａ）は本体下部の断面図であり、（ｂ）は可動パネルが吸込口を開ける直前の本体下部の部分断面図であり、（ｃ）は可動パネルが吸込口を開けた直後の本体下部の部分断面図である。図１５（ａ）において、ヒンジ５３０の水平棒部５３１の下方空間には、水平棒部５３１を受けるヒンジ受７６１と、フック５３３（図１４参照）と接触する突起部７６３が本体２０側から突出している。可動パネル２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１とは未だ接触していない。
【００５６】
図１５（ｂ）において、可動パネル２４が降下したとき、水平棒部５３１は、ヒンジ受７６１に引っ掛かり停止する。可動パネル２４が継続して降下すると、水平棒部５３１は、ヒンジ受７６１で拘束されているので、可動パネル２４とヒンジ５３０とが離れようとする。しかし、可動パネル２４とヒンジ５３０とは、回動軸部５３４で連結されているので、図１５（ｃ）に示すように、可動パネル２４が回動軸部５３４を中心に回動する。
【００５７】
一方、可動パネル２４が吸込口２０ａを閉じるときの動作は、吸込口２０ａを開けるときの動作と逆であり、可動パネル２４を上昇させることによって、図１５（ａ）の状態から（ｂ）の状態を経て（ｃ）の状態となる。
【００５８】
（可動パネルの昇降動作）
図１６（ａ）は本体下部の断面図であり、（ｂ）は可動パネルが降下を開始した直後の本体下部の部分断面図であり、（ｃ）は、可動パネルが降下したときの本体下部の部分断面図である。図１６（ａ）において、ヒンジ５３０の水平棒部５３１の下方空間には、水平棒部５３１を受けるヒンジ受７６１と、フック５３３（図１４参照）と接触する突起部７６３が本体２０側から突出している。可動パネル２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１とは未だ接触していない。
【００５９】
図１６（ｂ）（ｃ）において、ヒンジ受７６１は、図示しない他の部材に押されて、ヒンジ５３０の降下軌道上から外れており、ヒンジ５３０が降下したとき、水平棒部５３１の両端がヒンジ受７６１に保持されず、可動パネル２４は回動することなく降下することができる。
【００６０】
一方、可動パネル２４が吸込口２０ａを閉じるときの動作は、吸込口２０ａを開けるときの動作と逆であり、可動パネル２４を上昇させることによって、図１６（ａ）の状態から（ｂ）の状態を経て（ｃ）の状態となる。
【００６１】
＜特徴＞
空調室内機２の可動パネル２４は、ワイヤ７１を介して吊り上げられる。ワイヤ７１は、可動パネル２４の両端部に位置する吊り部２４２に接続される。可動パネル２４は、樹脂製のパネル本体２４１と、パネル本体２４１の上面側に固定される金属製の補強部材２４６を備えている。パネル本体２４１には、補強部材２４６とネジ止めされる複数のネジ受け突起２４３が設けられており、吊り部２４２に近いネジ受け突起２４３の高さ寸法は、吊り部２４２から遠いネジ受け突起の高さ寸法より大きい。ネジ受け突起２４３が補強部材２４６とネジ止めされることによって、パネル本体２４１の吊り部から遠い中央部は上方に撓む。パネル本体２４１がワイヤ７１によって吊られたとき、パネル本体２４１の中央部が下方へ反るので、撓みは反りによってほぼ解消される。その結果、パネル本体の反りが目立たなくなり、意匠性の低下が防止される。
【産業上の利用可能性】
【００６２】
以上のように、本発明によれば、ワイヤなどで吊られる可動パネルを備えた空調室内機に有用である。
【図面の簡単な説明】
【００６３】
【図１】本発明の一実施形態に係る可動パネルを使用した空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】フィルタ清掃機構のフィルタ収納枠の分解斜視図。
【図５】フィルタ収納枠の内部の断面図。
【図６】ワイヤに吊られた可動パネルの斜視図。
【図７】図６のＡ−Ａ線における可動パネルの断面図。
【図８】パネル本体の平面図。
【図９】（ａ）補強部材がネジ止めされる前の図７のＢ−Ｂ線における可動パネルの断面図。（ｂ）補強部材がネジ止めされた後の図７のＢ−Ｂ線における可動パネルの断面図。
【図１０】パネル本体の平面図。
【図１１】昇降装置内部の部品の配置図。
【図１２】可動パネルの斜視図。
【図１３】図１２のＣ部の拡大図。
【図１４】ヒンジ単品の側面図。
【図１５】（ａ）本体下部の断面図。（ｂ）可動パネルが吸込口を開ける直前の本体下部の部分断面図。（ｃ）可動パネルが吸込口を開けた直後の本体下部の部分断面図。
【図１６】（ａ）本体下部の断面図。（ｂ）可動パネルが降下を開始した直後の本体下部の部分断面図。（ｃ）可動パネルが降下したときの本体下部の部分断面図。
【符号の説明】
【００６４】
２  空調室内機
２０ａ  吸込口
２４  可動パネル
７１  ワイヤ（吊り部材）
２４１  パネル本体
２４２  吊り部
２４３  ネジ受け突起
２４３ａ，２４３ｂ，２４３ｃ  ネジ受け突起
２４６  補強部材
【図１】
0005211865.tif 000002
【図２】
0005211865.tif 000003
【図３】
0005211865.tif 000004
【図４】
0005211865.tif 000005
【図５】
0005211865.tif 000006
【図６】
0005211865.tif 000007
【図７】
0005211865.tif 000008
【図８】
0005211865.tif 000009
【図９】
0005211865.tif 000010
【図１０】
0005211865.tif 000011
【図１１】
0005211865.tif 000012
【図１２】
0005211865.tif 000013
【図１３】
0005211865.tif 000014
【図１４】
0005211865.tif 000015
【図１５】
0005211865.tif 000016
【図１６】
0005211865.tif 000017